(57)【要約】【課題】天井裏の塵埃などのコンタミが室内へ吹出さない衛生面の向上と冷暖房の立ち上がり時間の短縮を可能にし快適性を向上した放射空調システムを提供すること。【解決手段】室内空調が可能な室内空調手段と放射空調が可能な放射空調手段をそれぞれの空調手段の専用空調機として備えることで、コンタミが室内へ吹出すことはなくなる。  また、室内空調手段の冷暖房空気の吹出し出口部に風向変更羽根を備え、室内空調手段を運転した時、コアンダ効果で壁に沿うように冷暖房空気が吹出すように風向を設定する。このようにすることで冷暖房空気の熱と壁の熱が交換され壁の放射による室内空調と対流の冷暖房気流とが合わさり室内空調を行うことになり、快適な室内温度に到達すれば、室内空調から放射空調へ切り替えるようにした。【選択図】図１
2008020129.tif 000002
【特許請求の範囲】
【請求項１】
室内空調が可能な室内空調手段と放射空調が可能な放射空調手段をそれぞれの専用空調機として備えた放射空調システム。
【請求項２】
室内空調手段の冷暖房空気の吹出し出口部に風向変更羽根を備えたことを特徴とした請求項１に記載の放射空調システム。
【請求項３】
室内空調手段と放射空調手段を備え、併用運転切り替え手段を備えたことを特徴とした請求項１または２に記載の放射空調システム。
【発明の詳細な説明】
【技術分野】
【０００１】
本発明は、放射パネル面を冷却または加熱して室内の冷暖房を行なう放射空調システムに関するものである。
【背景技術】
【０００２】
従来、この種の放射空調システムは、天井裏空間に対流式の空調機を設置し、天井裏空間を空調しながら天井面を冷暖房し、一部の空気を室内へ供給し、一部空気の対流と天井面の放射で室内を空調させるといったものが考案されている（特許文献１参照）。
【０００３】
図４は特許文献１に記載された放射空調システムの構成を示すものである。図４に示すように、天井裏空間１０に設けられた空調機２０によって冷暖房された天井裏空間１０の空気は天井裏空間１０を循環しながら、一部の空気は天井面３０に設けられた小孔４０から室内５０へ供給されて冷暖房される。また、天井裏空間１０を冷暖房することで天井面３０も冷暖房され、室内５０は天井面３０の放射によっても冷暖房されるようになっている。
【特許文献１】特開平６−１７４２６１号公報
【発明の開示】
【発明が解決しようとする課題】
【０００４】
しかしながら、前記従来の構成では、天井面に小孔が開いているだけでは天井裏空間と室内の圧力差がほとんどないため、天井裏空間の空気を室内へ供給し、対流による空調をするほどの空気風量は得られないことや、天井裏空間と室内の温度差による室内空調も、対流による空調をするほどの空気風量は得られないため、対流と放射による室内空調時間の短縮はほとんど得られず、快適性も得られないないといった問題があった。また天井裏空間に溜まった塵埃などのコンタミが小孔から室内へ吹出す可能性もあり衛生的にも良くなかった。
【０００５】
本発明は、前記従来の課題を解決するもので、冷暖房時間を短時間で行い。快適性が低下する問題も防止することができる放射空調システムを提供することを目的とする。
【課題を解決するための手段】
【０００６】
前記従来の課題を解決するために、本発明の放射空調システムは、室内空調が可能な室内空調手段と放射空調が可能な放射空調手段をそれぞれの空調手段の専用空調機として備えたものである。
【０００７】
これによって、コンタミが室内へ吹出すことはなくなり、冷暖房が必要な時は、室内空調手段でたとえばダクトエアコンのように対流方式で一気に室内を空調し、室内温度が快適温度に到達し安定した後、次に室内空調手段と放射空調手段を切り替えて放射空調にし、無気流で室内を空調し、室温を維持することができる。
【０００８】
また、本発明の放射空調システムは、室内空調手段の冷暖房空気の吹出し出口部に風向変更羽根を備えた放射空調システムである。これにより、室内空調手段を運転した時、コアンダ効果で壁に沿うように冷暖房空気が吹出すように風向を変更し、壁からの放射による室内空調と対流式の冷暖房気流とが合わさり室内空調を行う。室内温度が快適な室温に到達すれば、室内空調から放射空調へ切り替え操作ができるようにしたもので、立ち上がり時間が短縮し快適性も向上する。
【０００９】
また、本発明の放射空調システムは、冷暖房空気の吹出し出口部に風向変更羽根を備え、放射空調運転時、室内空調運転と併用運転切り替え手段を備えた放射空調システムである。これにより、室内空調手段を運転した時、最初コアンダ効果で壁に沿うように冷暖房空気が吹出すように風向を設定し、壁が冷暖房されて壁の放射による室内空調と対流式の冷暖房気流とが合わさり室内空調を行う。室内温度が快適な温度に到達すれば、放射空調手段も運転するとともに、風向変更羽根を放射パネルに沿って流れるように向きを変更し、室内空調運転と放射空調運転を併用運転する。これにより放射パネルは表面と内面からの両方から冷暖房され放射パネルの温度が早く目標温度に到達し立ち上がり時間の大幅な短縮ができる。
【発明の効果】
【００１０】
本発明の放射空調システムは、天井裏の塵埃などのコンタミが室内へ吹出すことはなく、従来よりも衛生面で向上し、立ち上がり時間が早く、短時間で無気流の快適な居住空間にすることができる。
【発明を実施するための最良の形態】
【００１１】
第１の発明は室内空調が可能な室内空調手段と放射空調が可能な放射空調手段をそれぞれの専用空調機として備えることにより、天井裏の塵埃などのコンタミが室内へ吹出す心配はなくなり、冷暖房が必要な時は、室内空調手段でたとえばダクトエアコンのように対流方式で一気に室内を空調し、室内温度が快適温度に到達し安定したら、次に室内空調手段と放射空調手段を切り替えて放射空調にして、無気流で室内を空調し、室温を維持することができ、これにより立ち上がり時の時間短縮と放射空調で無気流の快適な室内空調ができる。
【００１２】
第２の発明は、室内空調手段の冷暖房空気の吹出し出口部に風向変更羽根を備えることにより、室内空調手段を運転した時、冷暖房空気がコアンダ効果で壁に沿うように流れるように風向を設定し、壁からの放射による室内空調と対流式の冷暖房気流とが合わさり室内空調を行い、快適な室内温度に到達すれば、室内空調から放射空調へ切り替え操作ができるようにしたもので、立ち上がり時間が短縮し快適性も向上する。
【００１３】
第３の発明は、冷暖房空気の吹出し出口部に風向変更羽根を備え、放射空調運転時、室内空調運転と併用運転切り替え手段を備えた放射空調システムである。これにより、室内空調手段を運転した時、最初コアンダ効果で壁に沿うように冷暖房空気が吹出すように風向を設定し、壁が冷暖房されて壁の放射による室内空調と対流式の冷暖房気流とが合わさり室内空調を行う。室内温度が快適な温度に到達すれば、放射空調手段も運転するとともに、風向変更羽根を放射パネルに沿って流れるように向きを変更し室内空調運転と放射空調運転を併用運転する。これにより放射パネルは表面と内面からの両方から冷暖房され放射パネルの温度が早く目標温度に到達し、立ち上がり時間の大幅な短縮ができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における放射空調システムの断面図を示すものである。
【００１６】
図１において、１は室内空調用空調機であり、２は放射空調用空調機、３は室内吹出し口、４は放射パネル、５は放射パネル用流路である。
【００１７】
以上のように構成された放射空調システムについて、以下その動作、作用を説明する。
【００１８】
まず、立ち上がり時は最初、室内空調用空調機１を運転し、冷暖房された空気を室内吹出し口３から室内に一気に吹出して冷暖房する。室温が快適温度に到達して安定したら、次に室内空調用空調機用１を止め、放射空調用空調機２を運転し、放射パネル用流路５に冷暖房空気を送り循環させて、放射パネル４を冷暖房し、放射パネル４の放射により室内を冷暖房する。このように室内空調用空調機１と放射空調用空調機２を全く別の空調機にすることで、従来よりも室内の立ち上がり時間は短縮できるとともに天井裏の塵埃などのコンタミが室内吹出されることはなくなる。
（実施の形態２）
図２は、本発明の第２の実施の形態における放射空調システムの断面図を示すものである。
【００１９】
図２において、１は室内空調用空調機であり、２は放射空調用空調機、３は室内吹出し口、４は放射パネル、５は放射パネル用流路、６は風向変更羽根である。
【００２０】
以上のように構成された放射空調システムについて、以下その動作、作用を説明する。
【００２１】
まず、立ち上がり時は最初、室内空調用空調機１を運転し、冷暖房された空気を室内吹出し口３から室内に一気に吹出す。この時風向変更羽根６を壁面側方向に向けておくことによりコアンダ効果により冷暖房された空気は壁面に沿って流れ、冷暖房空気の熱と壁面の熱が熱交換し、壁面から放射が始まる。またこの時熱交換されない冷暖房空気は対流で室内を冷暖房することになる。そして壁面が十分冷暖房されたら室内空調用空調機１から放射空調用空調機２に切り替えられて、放射空調用空調機２の冷暖房空気は放射パネル用流路５を循環し、放射パネル４を冷暖房し放射パネル４の放射空調により室内空調が開始される。
【００２２】
このように室内空調手段の冷暖房空気の吹出し出口部３に風向変更羽根６を備えることにより、室内空調用空調機１を運転した時、コアンダ効果で壁に沿うように冷暖房空気が吹出して、壁からの放射による室内空調と対流式の冷暖房気流とが合わさり室内空調を行い、快適な室内温度に到達すれば、室内空調用空調機１の室内空調から放射空調用空調機２の放射空調へ切り替えることで、立ち上がり時間が短縮し快適性も向上する。
（実施の形態３）
図３は、本発明の第３の実施の形態における放射空調システムの断面図を示すものである。
【００２３】
図３において、１は室内空調用空調機であり、２は放射空調用空調機、３は室内吹出し口、４は放射パネル、５は放射パネル用流路、６は風向変更羽根、７は風向切り替えダンパーである。
【００２４】
以上のように構成された放射空調システムについて、以下その動作、作用を説明する。
【００２５】
まず、立ち上がり時は最初、室内空調用空調機１を運転し、冷暖房された空気を室内吹出し口３から室内に一気に吹出す。この時風向変更羽根６を壁面側方向に向けておき風向切り替えダンパー７も下側吹出し口のみ開口しておくことにより、コアンダ効果により冷暖房された空気は壁面に沿って流れ、冷暖房空気の熱と壁面の熱が熱交換し、壁面から放射が始まる。またこの時、熱交換されない冷暖房空気は対流で室内を冷暖房することになる。そして壁面が十分冷暖房されたら風向変更羽根６を放射パネル４に沿って冷暖房空気が流れるように羽根の向きを変更し、風向切り替えダンパー７も側面吹き出し口のみ開口し、放射空調用空調機２を運転し室内空調用空調機１と放射空調用空調機２を併用運転する。これにより、放射パネルは表面と内面からの両方から冷暖房され放射パネルの温度が
早く目標温度に到達し立ち上がり時間の大幅な短縮ができる。
【産業上の利用可能性】
【００２６】
以上のように、本発明にかかる放射空調システムは天井放射パネルの立ち上がり時間が短時間で尚且つ人に気流が当たらない無気流の空調であるため、一般家庭以外にも病院・学校・図書館等の用途にも適用できる。
【図面の簡単な説明】
【００２７】
【図１】本発明の実施の形態１における放射空調システムの天井部断面図
【図２】本発明の実施の形態１における放射空調システムの天井部断面図
【図３】本発明の実施の形態１における放射空調システムの天井部断面図
【図４】従来の放射空調システムの天井部断面図
【符号の説明】
【００２８】
１  室内空調用空調機
２  放射空調用空調機
３  室内吹き出し口
４  放射パネル
５  放射パネル用流路
６  風向変更羽根
７  風向切り替えダンパー
１０  天井裏空間
２０  空調機
３０  天井面
４０  小孔
５０  室内
【図１】
2008020129.tif 000003
【図２】
2008020129.tif 000004
【図３】
2008020129.tif 000005
【図４】
2008020129.tif 000006